Podtech/llm-jp-corpus-v4-ja_patent huggingface dataset:
(57)【要約】      （修正有）【課題】常に一定の方向を向くことができ、採水の再現性、流向、流速の計測が安定するようになる海洋調査用採水器を提供する。【解決手段】アーマードケーブル１、スイベル２、方向舵４を備えた採水器３であって、採水器３はスイベル２を介してアーマードケーブル１に取り付けられているとともに、採水器３には方向舵４が取り付けられている。採水器３は自由に回転でき、水中で常に水流の方向を向くことができる。【選択図】図１
0003191974.tif 000002
【実用新案登録請求の範囲】
【請求項１】
スイベルと方向舵を設けたことを特徴とする採水器。
【考案の詳細な説明】
【技術分野】
【０００１】
本実用考案は、船舶で海洋調査用採水器を運用する際に、スイベルと方向舵を使い向きを一定にする構造に関するものである。
【背景技術】
【０００２】
従来より、海洋調査のため、観測船、研究船、練習船などの船舶に、各種の水中用海洋調査用の採水器等を搭載して目的の海域で調査が行われている。
これらの調査機器は、、水中にて目的のデータを測定し、リアルタイムで船上にデータを送る機能や、船上にある操作卓からの電気信号にて水中の採集装置等を動作させるために  アーマードケーブルを使用している
【０００３】
アーマードケーブルの構造の説明  
水中の調査機器と船上の操作卓を繋げるケーブルの構造は、芯線に、電力や電気信号を伝えるための電線を使い、外側は機器を吊り下げる強度を持たせるため、引っ張り強度を持った鋼線などで編んである。。
【０００４】
このアーマードケーブルは予測不能の回転をする。
鋼線で編む際に内側と外側ではワイヤーの編む向きを逆にして、回転しにくいように２層構造としているが、荷重が架かり、内と外のバランスが崩れると、どちらかに回るが、何時どのくらい回るかは予想はつかない。。
【０００５】
採水の時は  その時点の水温、水深データ、流向、流速を測るための計測機器を搭載し、多層の採水を行うために数本の採水筒を円形に配置している
採水器を採水を希望する水深まで、順次水中に下ろしていく。
所定水深に達すると、船上よりの採集指示の電気信号を採水制御器に送り採水筒を操作させ採水する。  これを必要なだけ繰り返す。
【０００６】
方向舵を付けて回転を減らす試みはあるが、アーマードケーブルが不特定の回転を行うため採水器も回転しながら採水、計測することが一般的であった。
【考案の概要】
【考案が解決しようとする課題】
【０００７】
解決しようとする問題点は、採水器は回転しながら採水と計測を行っているため  採水の方向の再現性が無く、流向、流速データに誤差が生じている。
【課題を解決するための手段】
【０００８】
本考案は、  採水器の回転を止めるために、第一考案は、電気信号、電力を伝送できるスリップリングを内蔵したスイベル（回転金具）を開発し、実用するため評価試験を行い、これを使用することで、アーマードケーブルの回転が採水器に伝わらなく、水中でも採水器は自由に回転することが判明した。
【０００９】
第二考案は、自由に回転できようになった採水器に「方向舵」を取り付けることで水流の上流を向くことができるようにした。
【考案の効果】
【００１０】
第一考案、第二考案によれば、採水器を、常に一定の方向を向くことができ、採水の再現性、流向、流速の計測が安定するようになる。今後、採水器が一定方向を向くことで、できなかった計測、計量、採集が可能となる。
【図面の簡単な説明】
【００１１】
【図１】図１はこの考案の実施方法を示した説明図である。（実施例１）
【図２】図２は従来技術を示した説明図である。（実施例２）
【考案を実施するための形態】
【００１２】
この考案の一実施形態を、図１に示す。アーマードケーブル１と採水器３の間にスイベル２を取り付ける。  採水器には方向舵４を取り付ける。
【実施例１】
【００１３】
アーマードケーブル１は荷重が架かると  ケーブルは回転する６、スイベル２が間に入るとケーブル１は回転しても、採水器３には回転は伝わらない。  採水器３に方向舵４を取り付けた状態で、水流5が流れると水流からの力を得て方向舵４を下流に向かわせて、採水器は上流を向く。
【００１４】
「他の実施形態」
図１の実施形態は方向舵４は１枚であったが、他の実施形態では、方向舵４は周囲に複数設けた物でも良い。
【符号の説明】
【００１５】
１    アーマードケーブル
２    スイベル
３    採水器
４    方向舵
５    水流
６    ケーブルの回転
７    採水器の回転
【図１】
0003191974.tif 000003
【図２】
0003191974.tif 000004
【手続補正書】
【提出日】平成26年5月28日(2014.5.28)
【手続補正１】
【補正対象書類名】実用新案登録請求の範囲
【補正対象項目名】全文
【補正方法】変更
【補正の内容】
【実用新案登録請求の範囲】
【請求項１】
アーマードケーブル、スイベル、方向舵を備えた採水器であって、採水器はスイベルを介してアーマードケーブルに取り付けられているとともに、採水器には方向舵が取り付けられていることを特徴とする採水器。
(57)【要約】      （修正有）【課題】ベースコート層、スパッタリング膜、トップコート層を重ねた樹脂釦の表面の一部にレーザー加工を施して樹脂表面を露出させる事で装飾性が高く、なおかつスパッタリング膜部分を含めて釦全体を後から染料で着色する事が可能で、更にレーザー加工後の樹脂表面は良好な光沢状態である樹脂製釦を提供する。【解決手段】樹脂製釦の表面にベースコート、スパッタリング、トップコートを施した後に部分的にレーザー加工を施してベースコート層、スパッタリング膜、トップコート層を除去し、更にヤグレーザーによるレーザー加工を施こす事で樹脂表面１ｆが良好な光沢状態である本考案の樹脂製釦を作る事が出来る。【選択図】図４
0003191977.tif 000002
【実用新案登録請求の範囲】
【請求項１】
衣料品に使用する合成樹脂製の釦であって、表面に第一次の塗装、次に乾式メッキ、次に第二次の塗装を重ねて、最後に表面にレーザー加工を施して、第一次と第二次の塗装膜と乾式メッキ膜も除去する事で所望の柄模様を作り出す事を特徴とする請求項１に記載の釦。
【請求項２】
釦の素材は不飽和ポリエステル樹脂である請求項１に記載の釦。
【請求項３】
乾式メッキの方法がスパッタリングである請求項１または請求項２に記載の釦。
【請求項４】
レーザー加工にはヤグレーザーを用いる請求項１〜請求項３のいずれか１項に記載の釦。
【請求項５】
スパッタリング膜上の第二次塗装膜も後から染料で着色する事が可能な請求項１〜４のいずれか１項に記載の釦。
【考案の詳細な説明】
【技術分野】
【０００１】本考案の衣料品に使用する樹脂製釦に関する。
【背景技術】
【０００２】従来、樹脂製釦でレーザー加工を施して表面の一部のメッキ金属面を除去して柄模様を作ったり、なおかつメッキ金属面を含めて釦全体が後から染色出来るものは市場に皆無であった。
【先行技術文献】
【０００３】
【特許文献１】実開平６年第８６５４３号公報
【特許文献２】特開平８年第２５２１０６号公報
【特許文献３】特開２００５年第７４０３号公報
【特許文献４】再公表特許２００９年第１６７５０号公報
【考案の概要】
【考案が解決しようとする課題】
【０００４】しかしながら、特許文献１はカフス釦等の装身具で薄板材にメッキ等の加工を施して装飾台にはめ込み、更に上から蒸着などを施したカバーガラスをはめ込んで接着するもという限定された形態の釦である。【０００５】また特許文献２は天然の貝殻について内側光沢面をメタリック調などの色調に仕上げるために、該光沢面に真空蒸着やイオンプレーティング、スパッタリングなどにより金属膜を設けるものである。金属膜の上には光透過性の保護被膜も設ける。【０００６】また特許文献３はリベット、釦などの服飾副資材の表面をレーザー加工で炭化させて色を変化させるものである。加工部についてレーザー光で変化させるというもので、色付けを行うといった装飾性の高い物が得られる内容ではない。【０００７】また特許文献４は服飾用物品に関するもので、透明な服飾物品本体の裏面に形成する金属薄膜層部分は蒸着やスパッタリングによって作るもので、レーザー光を当てて部分的に加熱除去し、入射光の乱反射を生じさせたりする。表面が変化して見えると言うな見た目の変化を得るためのものである。
いずれにせよ、以上の状況から、本考案が目指すようなレーザー加工を施して一部のメッキ金属面を除去して柄模様を作ったり、なおかつメッキ金属面を含めて釦全体を後から染料で着色出来る樹脂製釦の考案の要望が従来から大きかった。【０００８】本考案の樹脂製釦は以上のような従来の問題点を解決するために創案されたもので、次の目的を達成する。
【課題を解決するための手段】
【０００９】  本考案の樹脂製釦は前記目的を達成するために次の手段をとる。【００１０】不飽和ポリエステル樹脂製の釦本体に最初にベースコートの透明樹脂の塗装を施し、次にアルミニウムのスパッタリング加工を施して、その上にスパッタリングに適したトップコートを施す。該トップコートであるが、紫外線硬化型の塗装では欠点であった、後から染料による着色出来ないという欠点はなく染色が可能である。従ってこの後にレーザー加工を施して部分的にメッキ金属面を削って柄模様を作った際に、レーザー加工を施していないメッキ金属面は露出したポリエステル樹脂面と同様に染色する事が可能になった。【００１１】更にレーザー加工にヤグレーザーを選択すれば、樹脂表面は良好な光沢状態とする事が可能である。
【考案の効果】
【００１２】以上説明したように、本考案の釦はレーザー加工を施して一部のベースコート、トップコート、メッキ金属面を除去して柄模様を作り、なおかつメッキ金属面を含めて釦全体を後から染料で着色する事が出来る。更にレーザー加工にヤグレーザーを選択して、樹脂表面を良好な光沢状態とする事が可能となった。
【図面の簡単な説明】
【００１３】
【図１】図１は本考案の樹脂製釦でレーザー加工による彫刻を施した釦の正面図である。
【図２】図２は図１の本考案の樹脂製釦でレーザー加工による彫刻を施した釦の斜視図である。
【図３】図３は図１の本考案の樹脂製釦にレーザー加工を施す前の状態を示すＡ−Ａ断面の説明図である。
【図４】図４は図１の本考案の樹脂製釦にレーザー加工を施した後の状態を示すＡ−Ａ断面の説明図である。
【図５】図５は本考案の樹脂製釦でレーザー加工による彫刻を施した他の釦の正面図である。
【考案を実施するための形態】
【実施例】
【００１４】以下、添付図面に従って一実施例を説明する。図１は、本考案の樹脂製釦を正面から見た図である。図２は図１の本考案の樹脂製釦でレーザー加工による彫刻を施した釦の斜視図である。図３は図１の本考案の樹脂製釦にレーザー加工を施す前の状態を示すＡ−Ａ断面の説明図である。図４は図１の本考案の樹脂製釦の表側にベースコート、スパッタリング、トップコートを行った後に部分的にレーザー加工を施して表面の柄模様を作った状態の、図１Ａ−Ａ断面部である。図５は本考案の樹脂製釦でレーザー加工による彫刻を施した他の釦の正面図である。【００１５】以上、本考案の樹脂製釦の実施の形態を説明したが、本考案はこの実施の形態に限定されることはない。本考案の目的、趣旨を逸脱しない範囲内で釦以外の服飾付属品全般に適用が可能なことは言うまでもない。
【符号の説明】
【００１６】１…釦本体
１ａ…ポリエステル樹脂部
１ｂ…ベースコート部
１ｃ…金属膜
１ｄ…トップコート部
１ｅ…レーザー加工部
１ｆ…レーザー加工で露出した樹脂表面
【図１】
0003191977.tif 000003
【図２】
0003191977.tif 000004
【図３】
0003191977.tif 000005
【図４】
0003191977.tif 000006
【図５】
0003191977.tif 000007
(57)【要約】      （修正有）【課題】薬を簡単に収納でき、一包化したシート状の小袋を簡単に切り離すことができ、薬の飲み忘れ等を防止するお薬便利ストッカーを提供する。【解決手段】処方薬を一包化したシート状の小袋を蛇腹に折りたたみ、それをお薬便利ストッカー１に収納し、シート状の小袋の端を上面６の開口部１６から引出し、固定する。これにより、シートに記載されている服薬指示表示が見やすく、飲み忘れ、過剰服用の防止になる。また、上面６の辺（ウエーブ刃付）に一包化シートのミシン目を合わせることにより、そこから切り離すことが、容易となる。また、不要になった時は上面６を開け、底面を内側に折り込んだら、簡単に収納することができる。【選択図】図１
0003191523.tif 000002
【実用新案登録請求の範囲】
【請求項１】
処方された薬を一包化したシートを蛇腹に折って収納し、上面の開口部から、シートの端を引き出し、その横の2本の切れ込みを通すことによってシートを固定し、さらにシートのミシン目から簡単に切り離すことができることを特徴とする「お薬便利ストッカー」。
【請求項２】
請求項１に記載した特徴を持ち本体部分は直方体で、その材質は厚紙である「お薬便利ストッカー」。
【請求項３】
請求項1に記載した特徴を持ち、本体部分がプラスチック素材、薄い金属素材など、加工しやすい素材でできている「お薬便利ストッカー」。
【考案の詳細な説明】
【技術分野】
【０００１】
本考案は、家庭用「お薬便利ストッカー」に関するものであり、詳しくは、一包化された処方薬を収納することができ、その処方薬の表示を簡単に確認することができ、一袋ずつ簡単に切り離すことのでき、不要になったら折りたたんで収納できるストッカーに関するものである。
【背景技術】
【０００２】
病院や薬局等で処方される錠剤、カプセル等の薬は、もともとはシートの形で患者に渡され、薬袋にその名称、用法用量を記載して患者は自分で薬を管理している。また、飲み忘れを防止するために、カレンダー式の薬入れや服薬支援薬箱などがある。
【先行技術文献】
【特許文献】
【０００３】
【特許文献１】特開２００３−１９９８０６
【特許文献２】実用新案登録第３１１１５９７号
【考案の概要】
【考案が解決しようとする課題】
【０００４】
薬を服用する患者、特に高齢者や障がいのある患者は、薬を飲みやすくしたり、飲み忘れを防止するために、薬局で「朝」「昼」「夕」「寝る前」のように表示したシート状に連なった小袋にして渡してくれることも多い。このシートは色々な色、形状の薬が複数入っているため、表示してある服用指示が読みづらかったり、シートのミシン目できれいに切り分けることができずに、薬をこぼしてしまうこともある。また、薬袋の中に保存していると、シートの端が分りづらくて、高齢者や障がいのある人には扱いにくい。
【課題を解決するための手段】
【０００５】
上記の問題点を解決するために、本考案は複数の薬を一包化した小袋が連なった長いシートを折りたたんでコンパクトに収納する箱状のストッカーであり、さらに、そのシートの端を箱の上部の面にあけた開口部から引出し、その横に配した２本の切れ込みをくぐらせることによって固定するものである。
【考案の効果】
【０００６】
本考案に係る「お薬便利ストッカー」により、扱いづらい薬の長い一包化シートを折りたたんで収納することができ、さらに、そのシートの端を箱の上部の面にあけた開口部から引出し、その横に配した２本の切れ込みをくぐらせることによって固定することができる。そのため、その都度シートの端を探す必要がなく、大変便利である。
【０００７】
また、箱の上部の端（ウエーブ刃付）の部分に、薬の一包化シートのミシン目を合わせることにより、シートの切り離しが容易にできることが優れている。
【０００８】
さらに、箱の上部にシートが固定されるので、シートに記載された服用指示の表示を確認することが容易となり、飲み忘れや、二重の服用を防止するのに大変有効である。
【図面の簡単な説明】
【０００９】
【図１】本案に係る「お薬便利ストッカー」の斜視図である。
【図２】本案に係る「お薬便利ストッカー」の展開図である
【図３】本案に係る「お薬便利ストッカー」を折りたたんだ図である
【考案を実施するための形態】
【００１０】
次に、本案の実施の形態を、図面に沿って説明する。
まず、図１において、「お薬便利ストッカー」は直方体の箱である。
【００１１】
この「お薬便利ストッカー」の展開図が図２である。この箱は簡単に組み立てることができ、差込小９を差込口７に外側から内側に差し込むことにより強度を増すことができる。また、上面６をあけて、底面を押し上げることによりワンタッチで、図３の状態となり、収納も簡単で場所を取らない。
【００１２】
辺13，14，15には切れ込みが入っており、辺12にはミシン目が入っているため、この部分を内側に折り込んで、開口部16を作ることができる。処方薬の一包化シートを一回分ずつ蛇腹に折って開口部16の下部にセットし、シートの端を開口部16から引き出す。シートの端を切れ込み11から内側へ入れ、切れ込み１0から外側へ引き出す。このことにより、シートは固定され、上面６の部分にある一包化シートはその表示が見やすくなる。また、一包化シートのミシン目と上面６の端辺１７（ウエーブ刃付）を合わせることにより、このミシン目からの切り離しを容易にすることができる。また、このまま放置しておけば、次回服用分が上面６に固定されていることになり、飲み忘れやの見間違いが防止できる。
【産業上の利用可能性】
【００１３】
本「お薬便利ストッカー」は、一般家庭特に高齢者、障がい者の暮す家庭での、薬の管理に有用と思われる。さらに、介護施設、障がい者施設、医療機関などでの、薬の管理に有用である。特に高齢者や障がい者が自分の服用する薬を自分で管理することは、自立への大きな助けとなり、自信につながるため、本考案は大変有効であると考えられる。
【符号の説明】
【００１４】
１  「お薬便利ストッカー」
２  本体前面
３  本体側面
４  本体後面
５  本体側面
６  本体上面
７  差込口
８  差込大
９  差込少
10  切れ込み
１１  切れ込み
１２  ミシン目
１３  切れ込み
１４  切れ込み
１５  切れ込み
１６  開口部
17  辺（ウエーブ刃付）  
【図１】
0003191523.tif 000003
【図２】
0003191523.tif 000004
【図３】
0003191523.tif 000005
(57)【要約】【課題】止め輪同士で絡まりにくい止め輪を提供する。【解決手段】端部２ａに、離隔部３を塞ぐように端部２ｂ側への延びる舌片４を設け、舌片４の先端と端部２ｂとを、端部２ａ、２ｂ同士よりも近接させた。したがって、止め輪同士が絡まりにくく、特に止め輪の製造過程において絡まりにくくなることで、歩留まりを向上することができる。また、軸部材の内周面に取り付けられる止め輪１において、本体２の内側に位置するように舌片４を設けた。したがって、舌片４を除去することなく止め輪１を使用することができ、使い勝手が良い。【選択図】図１
0003191520.tif 000002
【実用新案登録請求の範囲】
【請求項１】
一部が離隔した環状に形成された止め輪であって、
離隔している端部の一方に、他方の端部側へ延びる舌片を設け、前記舌片の先端と前記他方の端部とを、前記端部同士よりも近接させたことを特徴とする止め輪。
【請求項２】
前記舌片の先端と前記他方の端部との径方向での距離を、止め輪自体の厚みより小さくしたことを特徴とする前記請求項１の止め輪。
【考案の詳細な説明】
【技術分野】
【０００１】
本考案は、軸部材の外周面や筒状部材の内周面に取り付けられる止め輪に関するものである。
【背景技術】
【０００２】
従来、一般的な止め輪としては、一部を離隔させたリング状の止め輪（たとえば特許文献１）がある。そして、当該止め輪を軸部材の外周面に取り付ける際には、離隔している箇所を広げながら取り付ける一方、筒状部材の内周面に取り付ける際には、離隔している箇所を狭めながら取り付ける。
【先行技術文献】
【特許文献】
【０００３】
【特許文献１】特開２００３−８８９３７号公報
【考案の概要】
【考案が解決しようとする課題】
【０００４】
しかしながら、止め輪には離隔部が設けられているため、止め輪の製造過程において止め輪同士が絡まりやすい。そのため、たとえば止め輪に塗装などの表面処理を行うにあたり、絡まった止め輪を手作業で１つずつ分離させなければならない等、歩留まりが悪化するといった問題が生じている。
【０００５】
そこで、本考案は、上記問題に鑑みなされたものであって、止め輪同士で絡まりにくい止め輪を提供しようとするものである。
【課題を解決するための手段】
【０００６】
上記目的を達成するために、本考案のうち請求項１に記載の考案は、一部が離隔した環状に形成された止め輪であって、離隔している端部の一方に、他方の端部側へ延びる舌片を設け、前記舌片の先端と前記他方の端部とを、前記端部同士よりも近接させたことを特徴とする。
【考案の効果】
【０００７】
本考案によれば、離隔している端部の一方に、他方の端部側へ延びる舌片を設け、舌片の先端と他方の端部とを、端部同士よりも近接させているため、従来よりも止め輪同士が絡まりにくい。したがって、特に止め輪の製造過程において絡まりにくくなることで、歩留まりを向上することができる。
【図面の簡単な説明】
【０００８】
【図１】止め輪を示した説明図である。
【考案を実施するための形態】
【０００９】
以下、本考案の一実施形態となる止め輪について、図面にもとづき詳細に説明する。
【００１０】
図１は、止め輪１を示した説明図である。
止め輪１は、筒状部材（図示せず）の内周面に取り付けられるものであって、略円環状に形成された本体２は、端部２ａと端部２ｂとで離隔している（すなわち、切り欠き状の離隔部３が設けられている）。そして、端部２ａに、離隔部３を塞ぐように端部２ｂ側へ円弧状に延びる舌片４が一体的に設けられている。該舌片４は、端部２ａにおいて本体２の内側に設けられており、本体２の同心円となる円に沿って端部２ｂ側へ延びている。また、舌片４は、本体２の径方向で端部２ｂと重なる位置まで延びており、舌片４の先端と端部２ｂとは、離隔部３における端部２ａ、２ｂ同士よりも極めて近接しており、たとえば離隔部３における端部２ａ、２ｂ同士の直線的な距離Ｌ１はＸｍｍ程度である。一方、舌片４の先端と端部２ｂとの径方向での距離Ｌ２は、本体の板厚より小さく設定し、絡まりを防ぐ。なお、５は、軸部材への取り付け時に止め輪１を変形させるにあたり、専用の工具（図示せず）を差し込むための工具用孔である。
【００１１】
以上のような構成を有する止め輪１によれば、端部２ａに、離隔部３を塞ぐように端部２ｂ側への延びる舌片４を設け、舌片４の先端と端部２ｂとを、端部２ａ、２ｂ同士よりも近接させ、かつ本体板厚より小さく設定するため、止め輪同士が絡まりにくい。したがって、特に止め輪の製造過程において絡まりにくくなることで、歩留まりを向上することができる。
また、筒状部材の内周面に取り付けられる止め輪１において、本体２の内側に位置するように舌片４を設けているため、舌片４を除去することなく止め輪１を使用することができ、使い勝手が良い。
さらに、舌片４を本体２の同心円に沿った円弧状に形成しているため、舌片４の先端と端部２ｂとを近接させているにも拘わらず、軸部材の内周面に取り付けるために止め輪１を変形させた際に、舌片４が本体２に干渉しにくく、止め輪１の取付作業が煩雑になることもない。
【００１２】
なお、本考案に係る止め輪は、上記実施形態の態様に何ら限定されるものではなく、舌片の位置や形状等を、本考案の趣旨を逸脱しない範囲で、必要に応じて適宜変更することができる。
【００１３】
たとえば、上記実施形態では、舌片４を本体２の内側に位置するように設けているが、軸部材の外周面に取り付けられる止め輪の場合、舌片４を本体２の外側に位置するように設ければよい。
また、上記実施形態では、舌片４を円弧状に形成しているが、直線状に形成してもよく、たとえ直線状に形成したとしても舌片４の先端と端部２ｂとの距離を調整することで、変形時の干渉を防止することができる。
さらに、上記実施形態では、舌片４を端部２ａに設けているが、端部２ｂに設けても何ら問題はない。
加えて、舌片４の先端を端部２ｂにどの程度まで近接させるか等についても、言うまでもなく設計変更可能である。
【符号の説明】
【００１４】
１・・止め輪
２・・本体
２ａ，２ｂ・・端部
３・・離隔部
４・・舌片
【図１】
0003191520.tif 000003
(57)【要約】      （修正有）【課題】水上において最良の水力を得ることが出来る水車浮上発電機を提供する。【解決手段】水車４と発電機１を重り２をつないだパイプ３で連結し、発電機を支点として水車が浮上するようにバランスをとる。水車と発電機はベルト５で伝導する。【選択図】図１
0003191589.tif 000002
【実用新案登録請求の範囲】
【請求項１】
水車、発電機、重りをつないだパイプで発電機を支点として、水車が浮上するようバランスを得る発電機。
【考案の詳細な説明】
【考案の概要】
【考案が解決しようとする課題】
【０００１】  水上において水車浮上発電機である。【０００２】  水車が浮上するよう重りでバランスをとる。
【考案の効果】
【０００３】  河川で増水、減水した時でも発電することが出来る。
【考案を実施するための形態】
【０００４】  以下、本案の実施例について説明する、図１にもとずいて水車、発電機、重りをつないだパイプで発電機を支点として、水車が浮上するようバランスをとる様にする、又、水車と発電機をベルトで伝導する。
【図面の簡単な説明】
【０００５】
【図１】  発電機の側面図
【図２】  発電機の正面図
【符号の説明】
【０００６】  １  発電機      ２  重り      ３  パイプ      ４  水車
５  ベルト      ６  歯車
【図１】
0003191589.tif 000003
【図２】
0003191589.tif 000004
(57)【要約】      （修正有）【課題】簡単、かつ、低廉なコストで充電が出来る充電装置を提供する。【解決手段】第２のバッテリ１と、第２のバッテリ１の電気によって動作する電動モータ２と、電動モータ２の力によって動作する３相交流発電装置３と、３相交流発電装置３によって発電された電気が充電される第１のバッテリ５とを具備する。【選択図】図１
0003191507.tif 000002
【実用新案登録請求の範囲】
【請求項１】
駆動源と、
前記駆動源の力によって動作する発電装置と、
前記発電装置によって発電された電気が充電される第１のバッテリ
とを具備することを特徴とする充電装置。
【請求項２】
更に第２のバッテリを具備してなり、
前記駆動源は電動モータであり、
前記電動モータは前記第２のバッテリの電気によって動作するよう構成されてなる
ことを特徴とする請求項１の充電装置。
【請求項３】
更に整流器を具備してなり、
前記発電装置によって発電された電気が前記整流器を介して前記第１のバッテリに充電されるよう構成されてなる
ことを特徴とする請求項１又は請求項２の充電装置。
【請求項４】
前記発電装置は、前記駆動原の力によって該発電装置の回転子が回転して発電が行われるよう構成されてなる
ことを特徴とする請求項１〜請求項３いずれかの充電装置。
【請求項５】
前記発電装置はＮ（Ｎは３以上の整数）相交流発電装置である
ことを特徴とする請求項１〜請求項４いずれかの充電装置。
【請求項６】
前記駆動源はエンジンである
ことを特徴とする請求項１、請求項３〜請求項５いずれかの充電装置。
【請求項７】
前記充電装置は自動車に搭載されてなる
ことを特徴とする請求項１〜請求項６いずれかの充電装置。
【請求項８】
前記請求項１〜請求項７いずれかの充電装置が搭載されてなる
ことを特徴とする自動車。
【考案の詳細な説明】
【技術分野】
【０００１】
本考案は充電装置に関する。
【背景技術】
【０００２】
従来、各種の充電装置が提案されている。しかしながら、これまでの提案の充電装置による充電ではコストが高く付いていた。
【先行技術文献】
【特許文献】
【０００３】
【特許文献１】特開２０１４−５３９９２
【特許文献２】特開２０１４−５０２７２
【特許文献３】特開２０１４−４２３７４
【考案の概要】
【考案が解決しようとする課題】
【０００４】
本考案が解決しようとする課題は、簡単、かつ、低廉なコストで充電が出来る充電装置を提供することである。
【課題を解決するための手段】
【０００５】
本考案は、
駆動源と、
前記駆動源の力によって動作する発電装置と、
前記発電装置によって発電された電気が充電される第１のバッテリ
とを具備することを特徴とする充電装置を提案する。
【０００６】
本考案は、前記充電装置であって、更に第２のバッテリを具備してなり、前記駆動源は電動モータであり、前記電動モータは前記第２のバッテリの電気によって動作するよう構成されてなることを特徴とする充電装置を提案する。
【０００７】
本考案は、前記充電装置であって、前記駆動源はエンジンであることを特徴とする充電装置を提案する。
【０００８】
本考案は、前記充電装置であって、更に整流器を具備してなり、前記発電装置によって発電された電気が前記整流器を介して前記第１のバッテリに充電されるよう構成されてなることを特徴とする充電装置を提案する。
【０００９】
本考案は、前記充電装置であって、前記発電装置は、前記駆動原の力によって該発電装置の回転子が回転して発電が行われるよう構成されてなる
ことを特徴とする充電装置を提案する。
【００１０】
本考案は、前記充電装置であって、前記発電装置はＮ（Ｎは３以上の整数）相交流発電装置であることを特徴とする充電装置を提案する。
【００１１】
本考案は、前記充電装置であって、前記充電装置は自動車に搭載されてなることを特徴とする充電装置を提案する。
【００１２】
本考案は、前記充電装置が搭載されてなる自動車を提案する。
【考案の効果】
【００１３】
簡単、かつ、低廉なコストで充電が出来る。
【図面の簡単な説明】
【００１４】
【図１】本考案になる充電装置のブロック図
【考案を実施するための形態】
【００１５】
本考案の実施形態が、以下、説明される。
【００１６】
本考案は充電装置である。前記充電装置は駆動源を具備する。前記駆動原は、例えばエンジンである。前記駆動原は、例えば電動モータである。前記電動モータは、例えばバッテリ（第２のバッテリ）の電気によって動作するよう構成されてなる。従って、この場合には、前記充電装置はバッテリ（第２のバッテリ）を具備する。前記充電装置は発電装置を具備する。前記発電装置は前記駆動源の力によって動作（発電）する。前記充電装置は第１のバッテリを具備する。前記第１のバッテリには、前記発電装置によって発電された電気が充電される。前記充電装置は、好ましくは、整流器を具備する。そして、前記発電装置によって発電された電気が前記整流器を介して前記第１のバッテリに充電されるよう構成されてなる。前記発電装置は、好ましくは、前記駆動原の力によって前記発電装置の回転子が回転して発電が行われるよう構成されてなる。前記発電装置は、好ましくは、Ｎ（Ｎは３以上の整数）相交流発電装置（例えば、３相交流発電装置）である。前記充電装置は、例えば自動車（四輪自動車あるいは三輪自動車または二輪自動車）に搭載されてなる。この場合、本考案は前記充電装置が搭載されてなる自動車である。
【００１７】
以下、更に具体的な実施例が説明される。但し、本考案は以下の実施例によって限定されるものでは無い。
【００１８】
図１は、本考案になる充電装置（自動車）のブロック図である。
【００１９】
図１中、Ａは自動車（四輪自動車あるいは三輪自動車または二輪自動車）である。
【００２０】
１は、自動車Ａに搭載された第２のバッテリである。
【００２１】
２は、自動車Ａに搭載された電動モータである。電動モータ２は第２のバッテリ１の電気によって動作する。すなわち、第２のバッテリ１の電気によって、電動モータ２のプーリが回転するよう構成されている。
【００２２】
３は、自動車Ａに搭載された３相交流発電装置である。３相交流発電装置３のプーリと電動モータ２のプーリとの間にはベルトが掛けられている。３相交流発電装置３のプーリの径は電動モータ２のプーリの径より小さい。従って、３相交流発電装置３のプーリは、電動モータ２のプーリの回転速度よりも高速で回転する。前記プーリの回転によって、３相交流発電装置３の回転子が回転して発電が行われる。
【００２３】
４は、自動車Ａに搭載された整流器である。
【００２４】
５は、自動車Ａに搭載された第１のバッテリである。前記電動モータ２の回転によって３相交流発電装置３が発電した電気は、整流器４を介して、第１のバッテリ５に充電される。
【００２５】
そして、上記充電装置は、簡単に製造でき、かつ、充電コストも低廉である。
【符号の説明】
【００２６】
１      第２のバッテリ
２      電動モータ
３      ３相交流発電装置
４      整流器
５      第１のバッテリ
【図１】
0003191507.tif 000003
(57)【要約】      （修正有）【課題】汚濁物質を酸化分解でき、磁化された空気を水中に供給して水中微生物を活性化でき、水中の溶存酸素濃度を高め水産生物の生存率を高めることができる曝気装置を提供する。【解決手段】曝気装置を、水中に設置される流水ポンプ１と、水上に設けられた磁石を組み込んだ送気ファン５と、流水ポンプ１の排水管３に接続された送気管４とから構成する。気泡発生槽２の上部は多孔板で複数の空気噴出孔が設けられ、流水ポンプ１の排水管３は気泡発生槽２に連通されている。排水管３の中間部分に直上から送気管４が連通され、送気管４は送気ファン５から送られてくる大気を排水管３中の水流Ｗに噴出する。その結果、水流Ｗには大量の空気が含有され、気泡発生槽２から上昇する際に曝気効果が得られる。【選択図】図１
0003191503.tif 000002
【実用新案登録請求の範囲】
【請求項１】
水中に設置される流水ポンプと、水上に設けられた磁石を組み込んだ送気ファンと、前記流水ポンプの排水管に接続された送気管とからなることを特徴とする曝気装置。
【考案の詳細な説明】
【技術分野】
【０００１】  本考案は、曝気装置に関し、とくに魚類等の水産生物の養殖池や生簀に使用する曝気装置に関するものである。
【背景技術】
【０００２】  従来、河川や湖沼などの汚濁水の浄化方法としては、接触酸化法あるいは浸漬濾床法などと呼ばれる浄水処理が知られている。また、これらの浄水処理においては、とくにバクテリアによる酸化分解作用が浄化に大きく貢献することから生物曝気法と呼ばれる。【０００３】  この浄水処理は濾材として、ハニカムチューブ、ナイロン帯、プラスチック成形濾材、木炭、あるいは活性炭、セラミック、砂などの粒状濾材を曝気槽に充填し、この曝気槽内に汚濁水を通水させて原水中の汚濁物質（ＳＳ）や有機物などを除去するものである。そして、原水中に自生していたバクテリアが次第に濾材表面上に繁殖し、生物膜と呼ばれる膜が形成されることにより、汚濁物の除去効果を促進する。【０００４】  ところで、例えば、エビの養殖池においては、エビの糞等により貯水が直ぐに汚れてしまため、短時間で貯水を曝気して透明度の高い水質を維持する必要があった。【０００５】  このような貯水の浄水処理として、上述したバクテリアを用いた生物曝気法又は曝気フィルター等を用いた機械的浄化法が考えられる。【０００６】  機械的な曝気システムとしては、固定床式と流動床式に大別することができる。そのうちの流動床式曝気は、原水の流れにより濾材層を流動化させながら曝気を行うもので、水の比重よりもやや大きな比重の粒状の濾材を用いて原水を上向きに通水し、濾材層を流動化させるのが一般的なものである（例えば、特許文献１参照。）。【０００７】  他にも、養魚水が流入される浄化槽と、この浄化槽内に、浄化槽内底面とは所定の空間が存在するように、かつ養魚水中に没するように配置された反応筒と、反応筒内下部に配置され、エアレーションパイプに接続されて反応筒内にエアーを噴出するディフーザーと、反応筒内にフェノール露出基のある化合物を含む微生物代謝産物もしくは腐植物からなる溶出充填材が充填された充填層と、安山岩質、流紋岩質等の活性化した珪酸分が含まれる砕石からなる溶出充填材が充填層と、浄化槽内に沈積した汚泥を引き抜く汚泥引抜管を備えた魚飼育用浄水装置が提案されている（例えば、特許文献２参照。）。
【先行技術文献】
【特許文献】
【０００８】
【特許文献１】特開平３−３８２８９号公報
【特許文献２】特公平７−４１２４６号公報
【考案の概要】
【考案が解決しようとする課題】
【０００９】  しかしながら、水産生物により漸次排出される汚物に対して、微細なメッシュによる曝気フィルター等を使用した場合、直ぐに目詰まりを起こすため使用できない。本考案は、上記のような従来技術の課題に鑑み、貯水の交換を頻繁に行う手間や労力面を軽減することができる曝気装置を提供することを目的とする。
【課題を解決するための手段】
【００１０】  上記目的を達成するため、本考案の曝気装置は、水中に設置される流水ポンプと、水上に設けられた磁石を組み込んだ送気ファンと、前記流水ポンプの排水管に接続された送気管とからなることを第１の特徴とする。
【考案の効果】
【００１１】  本考案では、曝気により汚濁物質を酸化分解できる。また、磁化された空気を水中に供給し、水中微生物を活性化できる。水中の溶存酸素濃度を高め水産生物の生存率を高めることができる。
【図面の簡単な説明】
【００１２】
【図１】本考案に係る曝気装置の一実施例を示す概念図である。
【図２】本考案に係る曝気装置の他の実施例を示す概念図である。
【図３】送気ファンの磁石配置を示す（ａ）は正面図、（ｂ）は側面図である。
【考案を実施するための形態】
【実施例】
【００１３】  図１に示すように、本考案の曝気装置は、水中に設置される流水ポンプ１と、水上に設けられた磁石を組み込んだ送気ファン５と、流水ポンプ１の排水管３に接続された送気管４とからなることを基本的な構成としている。【００１４】  気泡発生槽２の上部は多孔板で複数の空気噴出孔が設けられ、流水ポンプ１の排水管３は気泡発生槽２に連通されている。排水管３の中間部分に直上から送気管４が連通され、送気管４は送気ファン５から送られてくる大気を排水管３中の水流Ｗに噴出する。その結果、水流Ｗには大量の空気が含有され、気泡発生槽２から上昇する際に曝気効果が得られる。図２は水中に気泡発生槽２を設置せずに、水上で曝気を行うタイプの装置である。【００１５】  また、本考案では、図３に示すように、送気ファン５に強力な磁力を有する永久磁石を配置して回転させることによって、流水ＷにＮ、Ｓの交互磁場を付与することができる。そして、魚類の体表面に付着した害虫を駆除する効果が得られた。【００１６】  永久磁石としては、例えば、ネオジウム系磁石、サマリウム系磁石などの表面３０００ガウス以上の永久磁石を使用するのが好ましい。永久磁石は数１００ｒｐｍ以上で回転させる。尚、本考案装置は、農産物用水の溶存酸素濃度を高める装置としても有効である。
【符号の説明】
【００１７】１    流水ポンプ
２    気泡発生槽
３    排水管
４    送気管
５    送気ファン
Ｗ    水流
Ａ    気泡
【図１】
0003191503.tif 000003
【図２】
0003191503.tif 000004
【図３】
0003191503.tif 000005
(57)【要約】      （修正有）【課題】使用する調味料の嵩の中に含まれる塩分量を手軽に知ることができる調味料と計量スプーンのセットを提供する。【解決手段】調味料と、前記調味料に付属する計量スプーン１とからなる調味料と計量スプーンのセットであって、前記計量スプーンは調味料の嵩に応じて含まれる塩分重量を示すメモリ２を有することを特徴とする調味料と計量スプーンのセット。【選択図】図１
0003191573.tif 000002
【実用新案登録請求の範囲】
【請求項１】
各調味料の嵩に応じて含まれる塩分重量を示すメモリを有する計量スプ−ンを前記各調料に付属させることを特徴とする調味料の嵩に含まれる塩分の重さを計れる計量スプ−ン。
【考案の詳細な説明】
【技術分野】
【０００１】  本考案は、醤油、みそなどの調味料を使用する際に、どのくらいの塩分が含まれているのか手軽に計れる計量スプ−ンに関するものである。
【背景技術】
【０００２】  現代人の平均食塩摂取量は１日１１グラムと言われ、高血圧の人が増える原因ともなっている。高血圧は、様々な合併症を引き起こすことから、高血圧の予防、治療法として減塩の食事療法が推奨されている。一日に塩分１０グラム以下、８グラム以下、６グラム未満と言われても、使用している調味料の量に応じて何グラムの塩が含まれているのか分からなく、薄味といっても、勘で調味している状況がほとんどである。
【考案の概要】
【考案が解決しようとする課題】
【０００３】  各調味料の塩分が手軽に分かる計測器を提供する。
【課題を解決するための手段】
【０００４】  本考案は、各調味料ごとに一定の嵩に応じて何グラムの塩分が含まれているかが分かる計量スプ−ンを付属させる。
【考案の効果】
【０００５】  各個人の勘にたよることなく、一定の普遍性を持った塩分の計測が手軽にできるため、減塩食が広まりやすく、高血圧傾向の人を減少させ、高齢化社会において、高血圧からくる合併症を減らし生活の質を上げることができる。病気がちの人が減少することから、保険制度の負担金も減らすことができる。健康な高齢者は生産的な仕事にも携われる。
【図面の簡単な説明】
【０００６】
【図１】各調味料に付属する計量スプ−
【考案を実施するための形態】
【０００７】  各調味料の嵩に応じて含まれる塩のグラム数を示すメモリを有する計量スプ−ンを前記各調味料に付属させる。
【実施例】
【０００８】  以下添付図に従って、一実施例を説明する。１は、各調味料に付属する計量スプ−ン本体であり、２は、前記スプ−ンで計る一定の嵩に対して、０・３グラム、０・５グラムなどと含まれる塩のグラム数を示す前記計量スプ−ンに付けられたメモリである。
【符号の説明】
【０００９】１  各調味料に付属する計量スプ−ン本体
２  計量スプ−ンに付けられたメモリ
【図１】
0003191573.tif 000003
【手続補正書】
【提出日】平成26年3月27日(2014.3.27)
【手続補正１】
【補正対象書類名】実用新案登録請求の範囲
【補正対象項目名】全文
【補正方法】変更
【補正の内容】
【実用新案登録請求の範囲】
【請求項１】
調味料と、前記調味料に付属する計量スプーンとからなる調味料と計量スプーンのセットであって、前記計量スプーンはちょうみりょうの嵩に応じて含まれる塩分重量を示すメモリを有することを特徴とする調味料と計量スプーンのセット。
(57)【要約】      （修正有）【課題】映画館において、映画を観賞しながら健康増進をはかれる椅子を提供する。【解決手段】映画館の客席の椅子１の背もたれ部及び座面部に、低周波治療器又は電位治療器２を組み込む。【選択図】図１
0003191572.tif 000002
【実用新案登録請求の範囲】
【請求項１】
映画館の客席の椅子に、低周波治療器又は電位治療器を組み込むことを特徴とする、電気治療器付き映画館の椅子
【考案の詳細な説明】
【技術分野】
【０００１】  本考案は、電気治療器を組み込んだ映画館で座る椅子に関するものである。
【背景技術】
【０００２】  従来、映画館においては、ただ座るだけの機能を有する椅子が使われてきた。ほぼ９０分の間、映画の観賞のみに時間が使われていた。
【考案の概要】
【考案が解決しようとする課題】
【０００３】  映画館で映画観賞と同時に健康増進をはかる機会を提供する。
【課題を解決するための手段】
【０００４】  本考案は、映画館の客席にある椅子に、低周波治療器又は電位治療器を組み込み映画観賞をしながら健康増進をはかることができる。
【考案の効果】
【０００５】  従来の映画館では、ほぼ９０分間映画観賞のみに使われてきた。客席の椅子に低周波治療器又は電位治療器を組み込むことで映画観賞をしながら健康増進をはかることができる。また、これまでの、映画に関心のある人だけでなく、健康に関心がある人や、高齢者も映画館へ足を運ぶよう健康を接点に呼び掛けることが出来る。
【図面の簡単な説明】
【０００６】
【図１】映画館の椅子に組み込まれた低周波治療器又は電位治療器
【考案を実施するための形態】
【０００７】  映画館の一部の席をＶＩＰ席として、その席にのみ低周波治療器または、電位治療器を組み込み、前記座席を一般の座席と区別し料金を高くする。
【実施例】
【０００８】  以下添付図に従って、一実施例を説明する。１は、映画館の客席にある椅子本体であり、２は、前記椅子本体に組み込まれた低周波治療器又は電位治療器である。
【符号の説明】
【０００９】１  座席本体
２  埋め込まれた低周波治療器又は電位治療器のコイル
【図１】
0003191572.tif 000003
【手続補正書】
【提出日】平成26年3月27日(2014.3.27)
【手続補正１】
【補正対象書類名】実用新案登録請求の範囲
【補正対象項目名】全文
【補正方法】変更
【補正の内容】
【実用新案登録請求の範囲】
【請求項１】
映画館の客席の椅子の背もたれ部及び座面部に、低周波治療器又は電位治療器を組み込んだことを特徴とする電気治療器付き映画館の椅子。
(57)【要約】      （修正有）【課題】段差を含む左右傾斜走行路を安全に通過でき車椅子使用者の転倒事故や介護者の体力的負担を軽減し、荷物運搬者は安定し安全な移動が可能になる走行装置を提供する。【解決手段】車椅子本体や手押し式荷物運搬用台車に取り付けられている前輪自在キャスター１に、流体圧力シリンダー５や電磁ソレノイドなどの伸縮作動により作動伝達板４を押し下げ、テコの原理で回転固定用吐出ピン６が下方に吐出して回転固定板７に開いている穴にはまり、前輪自在キャスターの自在方向回転を一定方向に固定する。【選択図】図３
0003191571.tif 000002
【実用新案登録請求の範囲】
【請求項１】
車椅子本体２に取り付けられている前輪自在キャスター１に流体圧力シリンダーや電磁ソレノイドの伸縮作動により前輪自在キャスターの自在方向回転を一定方向に固定する装置を設け車椅子の斜路や段差通過時での直進安定性能を向上させることを特徴とする装置。
【請求項２】
手押し式荷物運搬用台車の前輪自在キャスターに流体圧力や電磁ソレノイドの伸縮作動により前輪自在キャスターの自在方向回転を一定方向に固定する装置を設け手押し式荷物運搬用台車の斜路や段差通過時での直進安定性能を向上させることを特徴とする装置。
【考案の詳細な説明】
【考案の詳細な説明】
【０００１】本考案を車椅子に装着して実施した模様を、形態図を参照に記述する。
【０００２】図３
【０００３】  は、吐出ピン６、流体圧力や電動により伸縮するシリンダー５、テコの原理により吐出ピン６に力を伝える板４、を設けた取り付けベース３を車椅子前輪ユニット１に装着し、前輪自在キャスター部に吐出ピン６を受ける穴の開いた回転固定板７を取り付けた図であり、車椅子の移動方向に対し左方や右方に傾斜している路面や段差を乗り上げる場合に直進状態で車椅子操作者がスイッチを作動させるとシリンダー５のシャフトが下方に伸び
【０００４】図５
【０００５】  の様にシリンダー５のシャフトがテコの原理で板４を押すことにより吐出ピン６を押し下げ下方に位置する回転固定板７の穴に吐出ピン６の先端がはまり自在方向回転部が固定される。
【０００６】  平坦路面に移動が完了したら車椅子操作者がスイッチを戻すことにより
【０００７】図３
【０００８】  の姿に戻り自由に方向変換ができるようになる。
【考案の効果】
本考案は上記に記述したように車椅子や手押し式荷物運搬用台車の自在キャスター部に本装置を取り付けた前輪に交換することにより段差を含む左右傾斜走行路を安全に通過することができ車椅子使用者の転倒事故や介護者の体力的負担などを軽減し、荷物運搬者は安定し安全な移動が可能になる。
【図面の簡単な説明】
【図１】は平坦路での前輪キャスター角を示したもの。
【図２】は前輪が段上に位置したときのキャスター角を示したもの。
【図３】は本考案を車椅子前輪ユニット１に装着した正面待機姿図。
【図４】は本考案を車椅子前輪ユニット１に装着した側面待機姿図。
【図５】は本考案を車椅子前輪ユニット１に装着した正面作動姿図。
【符号の説明】▲１▼、前輪自在キャスター。
▲２▼、車椅子本体。
▲３▼、各固定装置取り付けベース。
▲４▼、作動伝達用板。
▲５▼、伸縮シリンダー。
▲６▼、回転固定用吐出ピン。
▲７▼．回転固定板。
Ａ、地面と前輪とのキャスター角度の変化比較。
【技術分野】
【０００９】  本考案は車椅子、手押し式荷物運搬用台車の移動方向に対し左方や右方に傾斜している路面や段差を乗り上げる場合に安全かつ容易に走行ができる装置に関する。
【背景技術】
【００１０】  従来の車椅子、手押し式荷物運搬用台車は容易に方向転換が出来、進行方向に直進しやすいように前輪には３６０度回転をする自在キャスターが使用されている、
【考案が解決しようとする課題】
【００１１】  従来の車椅子、手押し式荷物運搬用台車は移動する路面が左方や右方に傾斜している場合は斜路の下方向に前輪が方向を変え進行方向が定まらなくなってしまう、又車椅子、手押し式荷物運搬用台車を段上に移動する際に前輪を段上に置いたときに平坦路よりもキャスター角Ａが減少するために前輪が左右に方向転換をしやすく危険性が伴う、これらの移動中の危険性を取り除き安全かつ容易に移動できるようにするものである。
【課題を解決する手段】
【００１２】  以後車椅子にて説明をするが、手押し式荷物運搬用台車も原理は同じである。
車椅子本体２に自在方向回転固定装置を設置した前輪１を装着し、移動中に左方や右方に傾斜している路面や段上に移動する際に車椅子操者が任意に流体圧力や電動で作動する伸縮シリンダー５を作動させ前輪自在キャスター部を固定ピン６にて一定方向に固定する事により安定した走行が出来る。
【図１】
0003191571.tif 000003
【図２】
0003191571.tif 000004
【図３】
0003191571.tif 000005
【図４】
0003191571.tif 000006
【図５】
0003191571.tif 000007
【手続補正書】
【提出日】平成26年3月25日(2014.3.25)
【手続補正１】
【補正対象書類名】実用新案登録請求の範囲
【補正対象項目名】全文
【補正方法】変更
【補正の内容】
【実用新案登録請求の範囲】
【請求項１】
車椅子本体（２）に取り付けられている前輪自在キャスター（１）に流体圧力シリンダー（５）や電磁ソレノイドなどの伸縮作動により作動伝達板（４）を押し下げテコの原理で回転固定用吐出ピン（６）が下方に吐出て回転固定板（７）に開いている穴にはまり前輪自在キャスターの自在方向回転を一定方向に固定する装置であって車椅子の斜路や段差通過時での直進安定性能を向上させることを特徴とする装置。
【請求項２】
手押し式荷物運搬用台車の前輪自在キャスター（１）に流体圧力シリンダー（５）や電磁ソレノイドなどの伸縮作動により作動伝達板（４）を押し下げテコの原理で回転固定用吐出ピン（６）が下方に吐出て回転固定板（７）に開いている穴にはまり前輪自在キャスターの自在方向回転を一定方向に固定する装置であって手押し式荷物運搬用台車の斜路や段差通過時での直進安定性能を向上させることを特徴とする装置。
(57)【要約】【課題】  本考案は、心肺蘇生訓練における胸骨圧迫の深さの目安を示す器具として、作成の容易さ及び軽量性を兼ね備えた胸骨圧迫深度計を提供する。【解決手段】  棒２に５ｃｍの幅の印３をつけて、管１の内側に棒２を通し、棒２の両端を太くし、管１から棒２が脱落しないようにする。胸骨圧迫訓練時に指導者等が管１を持ち、訓練実施者の手背部にあて、管１は動かさずに胸骨圧迫訓練を行うと、棒２が胸骨圧迫に合わせ上下に動く。胸骨圧迫が５ｃｍ沈みこんでいるかがわかる。【選択図】図２
0003191576.tif 000002
【実用新案登録請求の範囲】
【請求項１】
胸骨圧迫の深さの目安を示す器具として、管の中に５ｃｍ幅の印をつけた棒を通して、棒が脱落しないように棒の両端を太くする加工をした、胸骨圧迫深度計。
【考案の詳細な説明】
【技術分野】
【０００１】  本考案は、パイプ及び棒からなる胸骨圧迫深度計に関する。
【背景技術】
【０００２】  心肺蘇生訓練における胸骨圧迫訓練が行える訓練人形があり、一部の訓練人形には表示部が付いていて胸骨圧迫の深さが測定できるものがある。
【考案の概要】
【考案が解決しようとする課題】  救急蘇生法の指針２０１０市民用によると成人に対する胸骨圧迫の深さは少なくとも胸が５ｃｍ沈むまでであり、胸骨圧迫の訓練を行う際には、訓練実施者が５ｃｍ押せているか否かわかる必要がある。ある訓練人形では５ｃｍ押すと音が鳴り、５ｃｍ押したことが訓練実施者にわかるが視覚的にわからない。また、ある訓練人形ではセンサー等により、訓練実施者の胸骨圧迫の深さが表示されるものもあるが訓練人形がとても重く大変高価で大規模な訓練に不向きである。
【課題を解決するための手段】
【０００３】  そこで、既存の訓練人形に加工や改良を加えることなく、指導者及び訓練実施者が胸骨圧迫の深さを視覚的に確認できる「胸骨圧迫深度計」を考案しました。
【課題を解決するための手段】
【０００４】  パイプの中に、棒を通して、棒が脱落しないように、棒の上下両端を加工します。そして内側棒に５ｃｍの幅で印をつけた構造となります。この胸骨圧迫深度計を指導者または受講生同士で胸骨圧迫訓練実施者の手背部に当てる事により、内側の棒が上下に動き、５ｃｍ幅のしるしを見ると、胸骨圧迫が５ｃｍ押せているか否かがわかります。
【考案の効果】
【０００５】  本考案は簡単な構造のため、製造が容易です。市販のアルミやプラスチックのパイプと棒との組み合わせでも作成できますし、ストローに割り箸を通しただけのものでも良いわけです。また、訓練人形を選ばず使用可能なので、あらゆる心肺蘇生の訓練シーンで活用できます。この胸骨圧迫深度計を使用することにより、胸骨圧迫の訓練実施者は正確な胸骨圧迫の深さを学ぶ事ができるのです。
【図面の簡単な説明】
【０００６】
【図１】本考案に係る胸骨圧迫深度計の製造における工程図である。
【図２】本考案に係る胸骨圧迫深度計の正面図である。
【考案を実施するための形態】
【０００７】    図１に示すように、市販の管など１及び棒など２を用意する。棒２に５ｃｍの幅の印３をつける。
次に管１の内側に棒２を通し、内側に入れる。
【０００８】    図２に示すように、管１の内側に入れた棒２の両端を太くする加工４を行い、管１から棒２が脱落しないようにする。加工４はセロハンテープ等を厚く巻きつけてもよいし、何かを取り付けて太くしても良い。
【０００９】    上記工程により完成した本考案の胸骨圧迫深度計は、胸骨圧迫訓練時に指導者等が管１を持ち、訓練実施者の手背部にあて、管１は動かさずに胸骨圧迫訓練を行うと、棒２が胸骨圧迫に合わせ上下に動く。この時に、５ｃｍ幅の印３を見ることにより、訓練実施者の胸骨圧迫が５ｃｍ沈みこんでいるかがわかるので、訓練実施者は胸骨圧迫が正しく行われているか学ぶ事ができる。
【００１０】  １  管
２  棒
３  ５ｃｍ幅の印
４  棒を太くする加工
【図１】
0003191576.tif 000003
【図２】
0003191576.tif 000004